(57)【要約】【課題】特殊な携帯電話や特定のＩＣカードを必要とせず、どのような人であっても利用しやすく、利用者のニーズに一致した各種イベントの発見や参加が容易なチケット付き印刷物及びチケット管理システムを提供する。【解決手段】チケット管理システム１００は、本１１、チケット情報を記憶するためのＩＣタグ１２、及び、内容表示部１３を有するチケット付き本１０と、書店２００に設けられ、ＩＣタグ１２にチケット情報を書き込むＩＣタグ書込装置２１を有する切符販売端末２０と、興行主３００に設けられ、システム全体を制御する制御部３１、チケット情報を蓄積しているデータベース３２、及び、ＩＣタグ１２に書き込まれたチケット情報を読み取るＩＣタグ読取装置３３を有する興行主端末３０と、チケットの情報を表示する検索表示画面４１を有する検索用端末４０と、書店２００、興行主３００及び検索用端末４０を接続するネットワーク５０などとを備える。【選択図】図１
2006031463.tif 000002
【特許請求の範囲】
【請求項１】
印刷物と、
前記印刷物に設けられ、チケット情報を記憶するためのＩＣタグと、
を備えるチケット付き印刷物。
【請求項２】
請求項１に記載のチケット付き印刷物において、
前記チケット情報は、前記印刷物の印刷内容と関連性を有する情報であること、
を特徴とするチケット付き印刷物。
【請求項３】
請求項１又は請求項２に記載のチケット付き印刷物において、
前記チケット情報は、日時情報、場所情報、枚数情報、座席情報、暗号情報、興行名情報、価格情報、識別情報のうちの少なくとも１つの情報を含むこと、
を特徴とするチケット付き印刷物。
【請求項４】
請求項１から請求項３までのいずれか１項に記載のチケット付き印刷物において、
前記印刷物は、複数の異なる印刷内容を有しており、
前記ＩＣタグは、前記印刷内容に応じた少なくとも１つのチケット情報を記憶すること、
を特徴とするチケット付き印刷物。
【請求項５】
請求項１から請求項４までのいずれか１項に記載のチケット付き印刷物と、
前記チケット情報を蓄積している記憶部と、
前記記憶部のチケット情報を前記ＩＣタグに書き込む書込部と、
前記ＩＣタグに書き込まれた前記チケット情報を読み取る読取部と、
前記書込部が書き込んだチケット情報と前記読取部が読み取ったチケット情報とが一致しているか否かを判断する判断部と、
を備えるチケット管理システム。
【請求項６】
請求項５に記載のチケット管理システムにおいて、
前記書込部は、前記チケット付き印刷物を販売又は配布する場所に設けられていること、
を特徴とするチケット管理システム。
【請求項７】
請求項５又は請求項６に記載のチケット管理システムにおいて、
前記読取部は、前記チケット付き印刷物をチケットとして使用する場所に設けられていること、
を特徴とするチケット管理システム。
【請求項８】
請求項５から請求項７までのいずれか１項に記載のチケット管理システムにおいて、
前記記憶部のチケット情報が前記書込部によってすべて書き込まれたときに、前記書込部の書き込みを禁止する書込禁止部を備えること、
を特徴とするチケット管理システム。
【請求項９】
請求項５から請求項８までのいずれか１項に記載のチケット管理システムにおいて、
前記ＩＣタグは、物流情報をあらかじめ記憶しており、
前記書込部は、前記物流情報が記憶されているメモリ領域とは異なるメモリ領域に前記チケット情報を書き込むこと、
を特徴とするチケット管理システム。
【発明の詳細な説明】
【技術分野】
【０００１】
本発明は、入場券などのチケットを取り扱うのに好適なチケット付き印刷物及びチケット管理システムに関するものである。
【背景技術】
【０００２】
現在、展示会やコンサート会場では、入場券に「電子チケット」を用いる場合があり、電子チケットには、携帯電話やクレジットカードなどのＩＣカードが利用されている（例えば、特許文献１）。
【０００３】
携帯電話を利用する場合は、インターネット経由で電子チケットを購入し、携帯電話の画面上に入場券の代わりとなる「バーコード」を表示して、そのバーコードを読み取らせることによって入場したり、赤外線通信対応の機種を用い、チケットの代わりに赤外線を送信することによって入場したりしている。
【０００４】
一方、ＩＣカードを利用する場合は、電子チケットをＩＣカードにダウンロードし、コンサート会場の入口に設置されたリーダに、ＩＣカードをかざして入場する。
【０００５】
いずれの方法も、利用者にとっては、チケットの電子化によって、チケットをなくしたり、忘れたりすることが減少し、携帯性も向上するという利点がある。
【０００６】
また、興行主にとっても、コンサートの直前までチケットを販売できるメリットがあり、来場状況をリアルタイムで把握したり、不正入場を防止できるメリットがある。
【０００７】
しかし、携帯電話の場合は、インターネット上でチケットを購入しなくてはならないので、操作がややこしく、老若男女問わず扱いやすいものではなかった。
また、上述したサービスを利用するには、特定の機種でないと利用できないという問題もあった。
【０００８】
一方、ＩＣカードの場合は、特定のクレジットカードや専用のＩＣカードが必要であり、また、オンライン環境や専用のリーダライタも、あらたに用意しなければならなかった。
【０００９】
しかも、携帯電話やＩＣカードは、かなり普及してきているとはいえ、全国民に普及しているわけではなく、これらを持っていない人には、上述した仕組みは利用できないという、致命的な問題もあった。
【００１０】
また、現在、旅行ツアー、スポーツ、釣り大会などの各種イベント（各種興行企画）の切符やチケットを、外部で発売する店舗は少なく、生活者が自ら調べて各種イベントに参加するのは難しい状況にあった。
【特許文献１】特開２００３−００６３６６号公報
【発明の開示】
【発明が解決しようとする課題】
【００１１】
本発明の課題は、特殊な携帯電話や特定のＩＣカードを必要とせず、どのような人であっても利用しやすく、しかも、利用者のニーズに一致した各種イベントの発見や参加が容易なチケット付き印刷物及びチケット管理システムを提供することである。
【課題を解決するための手段】
【００１２】
本発明は、以下のような解決手段により、前記課題を解決する。なお、理解を容易にするために、本発明の実施例に対応する符号を付して説明するが、これに限定されるものではない。
請求項１の発明は、印刷物（１１）と、前記印刷物（１１）に設けられ、チケット情報を記憶するためのＩＣタグ（１２）と、を備えるチケット付き印刷物である。
【００１３】
請求項２の発明は、請求項１に記載のチケット付き印刷物において、前記チケット情報は、前記印刷物（１１）の印刷内容と関連性を有する情報であること、を特徴とするチケット付き印刷物である。
【００１４】
請求項３の発明は、請求項１又は請求項２に記載のチケット付き印刷物において、前記チケット情報は、日時情報、場所情報、枚数情報、座席情報、暗号情報、興行名情報、価格情報、識別情報のうちの少なくとも１つの情報を含むこと、を特徴とするチケット付き印刷物である。
【００１５】
請求項４の発明は、請求項１から請求項３までのいずれか１項に記載のチケット付き印刷物において、前記印刷物（１１）は、複数の異なる印刷内容を有しており、前記ＩＣタグ（１２）は、前記印刷内容に応じた少なくとも１つのチケット情報を記憶すること、を特徴とするチケット付き印刷物である。
【００１６】
請求項５の発明は、請求項１から請求項４までのいずれか１項に記載のチケット付き印刷物（１０）と、前記チケット情報を蓄積している記憶部（３２）と、前記記憶部（３２）のチケット情報を前記ＩＣタグ（１２）に書き込む書込部（２１）と、前記ＩＣタグ（１２）に書き込まれた前記チケット情報を読み取る読取部（３３）と、前記書込部（２１）が書き込んだチケット情報と前記読取部（３３）が読み取ったチケット情報とが一致しているか否かを判断する判断部（３１ａ）と、を備えるチケット管理システムである。
【００１７】
請求項６の発明は、請求項５に記載のチケット管理システムにおいて、前記書込部（２１）は、前記チケット付き印刷物（１０）を販売又は配布する場所（２００）に設けられていること、を特徴とするチケット管理システムである。
【００１８】
請求項７の発明は、請求項５又は請求項６に記載のチケット管理システムにおいて、前記読取部（３３）は、前記チケット付き印刷物（１０）をチケットとして使用する場所（３００）に設けられていること、を特徴とするチケット管理システムである。
【００１９】
請求項８の発明は、請求項５から請求項７までのいずれか１項に記載のチケット管理システムにおいて、前記記憶部（３２）のチケット情報が前記書込部（２１）によってすべて書き込まれたときに、前記書込部（２１）の書き込みを禁止する書込禁止部（３１ｂ）を備えること、を特徴とするチケット管理システムである。
【００２０】
請求項９の発明は、請求項５から請求項８までのいずれか１項に記載のチケット管理システムにおいて、前記ＩＣタグ（１２）は、物流情報をあらかじめ記憶しており、前記書込部（２１）は、前記物流情報が記憶されているメモリ領域とは異なるメモリ領域に前記チケット情報を書き込むこと、を特徴とするチケット管理システムである。
【発明の効果】
【００２１】
本発明によれば、印刷物にチケット情報を記憶するためのＩＣタグを設けたので、特殊な携帯電話や特定のＩＣカードは不要である。
【００２２】
また、印刷物の印刷内容と関連性を有するチケット情報としたので、利用者の欲する情報と各種イベントの内容とが一致し、各種イベントの発見や参加が容易となり、来場効率も高まる。
【００２３】
さらに、ＩＣタグが複数のチケット情報を記憶するので、チケットがかさばることがない。
【００２４】
一方、システム側で、チケット情報の書き込みや、読み込みを行うので、特別な操作や装置は必要なく、どのような人であっても利用しやすい。
【発明を実施するための最良の形態】
【００２５】
本発明は、特殊な携帯電話や特定のＩＣカードを必要とせず、どのような人であっても利用しやすく、しかも、利用者のニーズに一致した各種イベントの発見や参加が容易なチケット付き印刷物及びチケット管理システムを提供するという目的を、本の所定のページにＩＣタグを貼付し、書店でその本を販売するときに、ＩＣタグにチケット情報を書き込むことにより実現する。
【実施例】
【００２６】
以下、図面等を参照して、本発明の実施例について、さらに詳しく説明する。
図１は、本発明によるチケット管理システムの実施例を示す図である。
本実施例のチケット管理システム１００は、チケット付き本（チケット付き印刷物）１０と、書店２００に設けられた切符販売端末２０と、興行主３００に設けられた興行主端末３０と、検索用端末４０と、ネットワーク５０などとを備える。
【００２７】
チケット付き本１０は、本（印刷物）１１と、本１１の所定のページに貼付され、チケット情報を記憶するためのＩＣタグ１２と、本１１の内容を表示する内容表示部１３とを備える。
チケット情報は、本１１の印刷内容と関連性を有する情報であり、例えば、本１１が映画の雑誌であれば、映画の入場券の情報であり、本１１が野球の雑誌であれば、野球の入場券の情報である。
また、チケット情報は、日時情報、場所情報、枚数情報、座席情報、暗号情報、興行名情報、価格情報などの情報を含む。
【００２８】
切符販売端末２０は、興行主３００から買い取った、又は、興行主３００から販売の委託を受けているチケット付き本１０を販売する書店２００に設けられ、ＩＣタグ１２にチケット情報を書き込むＩＣタグ書込装置（書込部）２１を備える。
【００２９】
興行主端末３０は、入場制限のある展示会やコンサートを開催する興行主３００に設けられ、システム全体を制御する制御部３１と、チケット情報を蓄積しているデータベース（記憶部）３２と、チケット付き本１０をチケットとして使用する不図示のＩＣタグゲート（入場ゲート）に設けられ、ＩＣタグ１２に書き込まれたチケット情報を読み取るＩＣタグ読取装置（読取部）３３とを備える。
【００３０】
制御部３１は、入場の許可又は禁止を判断する判断部３１ａと、チケットが売り切れた場合に、ＩＣタグ書込装置２１の書き込みを禁止する書込禁止部３１ｂとを備える。
【００３１】
検索用端末４０は、パーソナルコンピュータなどの端末であり、興行主３００のデータベース３２に基づいて、取り扱いチケットや残りのチケットを表示するＣＲＴ（ブラウン管）などの検索表示画面４１を備える。
【００３２】
ネットワーク５０は、インターネットなどの通信手段であり、書店２００、興行主３００及び検索用端末４０を接続している。
【００３３】
次に、図２のフローチャートを参照しながら、図３を用いて、本実施例によるチケット管理システムの一連の流れを、制御部３１の動作を中心に説明する。
図２は、制御部３１の制御を示すフローチャートであり、図３は、チケット付き本１０の販売方法及び使用方法を示す図である。
（＃１）購読者（兼、切符購入者）Ａは、書店２００に行き、好みのチケット付き本１０を選択する。
（＃２）購読者Ａは、切符申込書Ｂに、氏名、住所、希望する興行名、枚数、好きな雑誌、ＤＭ（ダイレクトメール）配布許可有無、ポイントカード発行有無などを書き込む。
これらの情報は、書店２００のデータベースに保存され、その後の出版物の編集や、印刷業務などのマーケティングに活用される。
【００３４】
（＃３）購読者Ａは、チケット付き本１０と切符申込書Ｂとを書店レジＣに持って行き、チケット付き本１０とチケットの代金を、現金又はクレジットで支払う。
（＃４）書店２００の店員は、支払いが済んだことを確認し、書店２００の切符販売端末２０で、発行申込を行う。
【００３５】
（＃５）興行主端末３０の制御部３１は、発行申込を受け付けた場合には［Ｓ１０１］、書店２００の切符販売端末２０に、座席、日付、興行名、切符価格、枚数情報、暗号情報などのチケット情報を送信する［Ｓ１０２］。
（＃６）書店２００の店員は、ＩＣタグ書込装置２１で、チケット付き本１０のＩＣタグ１２に、受信したチケット情報の書き込みを行う。
【００３６】
ここで、興行主端末３０の書込禁止部３１ｂは、データベース３２が蓄積しているチケット情報が、ＩＣタグ書込装置２１によってすべて書き込まれたか否かを判断し［Ｓ１０３］、すべて書き込まれた場合には（チケット売り切れ）、次回からのＩＣタグ書込装置２１の書き込みを禁止する［Ｓ１０４］。
【００３７】
（＃７）ＩＣタグ１２への書き込みが終了したら、チケット付き本１０を購読者Ａに渡す。
このとき、偽造防止のため、チケット付き本１０に書店印、日付印を押印したり、また、購読者Ａが申し込んだ座席、日付、時間などの情報を、領収書に印字又は筆記し、チケット付き本１０に貼付することが好ましい。
また、書店２００は、チケット付き本１０の売れ行きをみて、興行主３００に、買い取りの追加注文をする。
（＃８）購読者Ａは、チケット付き本１０をそのまま、又は、ＩＣタグ１２が貼付されているページを切り離して持参し、興行主３００のＩＣタグゲートＤを通過する。なお、ＩＣタグ１２が貼付されているページの切り離しを容易にするために、そのページの所定位置に切り離し線を印刷したり、切り離し用ミシン目を設けたりすることが好ましい。
【００３８】
ここで、興行主端末３０の判断部３１ａは、ＩＣタグ読取装置３３によってチケット情報が読み取られた場合には［Ｓ１０５］、ＩＣタグ書込装置２１が書き込んだチケット情報と、ＩＣタグ読取装置３３が読み取ったチケット情報とが一致しているか否かを判断し［Ｓ１０６］、一致している場合には、入場を許可し［Ｓ１０７］、一致していない場合には、入場を禁止する［Ｓ１０８］。
入場許可の場合は、座席や枚数などの情報がＩＣタグゲートＤに表示され、興行主３００の案内人は、その情報に基づいて座席位置などを会話で伝える。
【００３９】
（＃９）購読者Ａは、いつでも、興行主３００が取り扱っているチケットや残りのチケット状況などを、検索表示画面４１で確認することができる。
【００４０】
このように、本実施例によれば、以下のような効果がある。
（１）本１１にチケット情報を記憶するためのＩＣタグ１２を貼付したので、特殊な携帯電話や特定のＩＣカードは不要である。
（２）本１１の印刷内容と関連性を有するチケット情報としたので、趣味の本１１を購読者Ａが読み、その内容に沿った各種イベントが、その本１１に記載されており、購読者Ａの欲する情報と、各種イベントの内容とが一致し、各種イベントが発見しやすく、参加の機会も逃すことがない。
【００４１】
（３）システム側で、チケット情報の書き込みや、読み込みを行うので、特別な操作や装置は必要なく、老若男女問わず利用しやすい。
（４）ＩＣタグ書込装置２１を書店２００に設置したので、従来から少なかった興行紹介場やチケット売り場を、全国に約２４０００店舗ある書店に新設することができ、住宅地より約５ｋｍ以内で、チケットの購入が可能となる。
【００４２】
（５）ＩＣタグ読取装置３３を興行主３００のＩＣタグゲートＤに設置したので、入場時の混雑を緩和できる。
（６）チケットが売り切れた場合には、ＩＣタグ１２への書き込みを禁止しているので、座席の重複やイベント会場での混乱を防止できる。
【００４３】
（７）興行主３００は、興行の申込状況により、座席の埋まり具合や、旅行ツアーの埋まり具合を確認しながら、書店２００の前売り券の追加発注を許容するか、打ち切るかを、状況に応じて判断することができる。
（８）利用者は、現金又はクレジットで支払いができる書店にならぶことによって、例えば、野球場やコンサート会場に徹夜してならぶ必要がなくなる。
【００４４】
（変形例）
以上説明した実施例に限定されることなく、種々の変形や変更が可能であって、それらも本発明の均等の範囲内である。
（１）ＩＣタグ１２には、１つのチケット情報を書き込む例で説明したが、本１１に複数の異なる印刷内容を印刷し（例えば、複数の映画情報や、野球情報及びコンサート情報）、チケット情報に識別情報を加え、ＩＣタグ１２に、その印刷内容に応じた複数のチケット情報を記録させるようにしてもよい。このようにすれば、チケットがかさばることはなく、携帯性も向上する。
（２）チケット情報は、入場券の情報の例で説明したが、何かしらのメリットを与えるクーポン券、優待券、抽選券、食事券、景品引換券、招待券、割引券などの情報であってもよい。このようにすれば、例えば、クーポン券と映画のチケットなどを、まとめて携帯することができる。
【００４５】
（３）現在、本の物流管理にＩＣタグが使用されはじめているので、そのＩＣタグを流用することによって、チケット付き本１０の製造コストを抑えることができる。その場合には、ＩＣタグは、物流情報をあらかじめ記憶しているので、物流管理に使用していないメモリ領域を検索し、物流情報が記憶されているメモリ領域とは異なるメモリ領域にチケット情報を書き込むようにする。
（４）印刷物は、本の例で説明したが、例えば、冊子、パンフレット、広告媒体、チラシ、はがき、小雑誌付録本などであってもよく、また、チケット付き本１０は、書店２００で販売する例で説明したが、配布するようにしてもよい。
【００４６】
（５）ＩＣタグ１２を貼付するページは、表表紙、裏表紙、本文、広告ページなどのいずれの部分であってもよく、また、所定のページに埋め込むようにしてもよい。
（６）チケット情報の送信は、ハッカーなどから守るために、暗号化して送信したり、特殊な２次元コードにして送信したりしてもよい。
【００４７】
（７）検索用端末４０は、書店２００や興行主３００に設置してもよい。このようにすれば、チケット付き本１０や切符申込書Ｂの利用の増加が見込まれる。
（８）映画前売り券や、テーマパークなどの入場制限のないチケットの場合には、興行主３００が書店２００と通信をした後に暗号情報を集計し、書店２００は、出来高によって、チケット代金を一括して興行主３００に支払うようにしてもよい。
【００４８】
（９）興行主３００の案内人は、会話で座席を案内する例で説明したが、座席を携帯電話の画面に表示させたり、伝票（シート）にプリントしたりして誘導してもよい。
（１０）ＩＣタグ１２に書き込むチケット情報は、興行主３００と書店２００との直接のデータ転送の例で説明したが、取り次ぎ（出版社と書店との中間にある書籍や雑誌などの流通業者）を通じたデータ転送や、プロバイダを通じたデータ転送であってもよい。
【図面の簡単な説明】
【００４９】
【図１】本発明によるチケット管理システムの実施例を示す図である。
【図２】制御部３１の制御を示すフローチャートである。
【図３】チケット付き本１０の販売方法及び使用方法を示す図である。
【符号の説明】
【００５０】
１０  チケット付き本
１１  本
１２  ＩＣタグ
１３  内容表示部
２０  切符販売端末
２１  ＩＣタグ書込装置
３０  興行主端末
３１  制御部
３１ａ  判断部
３１ｂ  書込禁止部
３２  データベース
３３  ＩＣタグ読取装置
４０  検索用端末
４１  検索表示画面
５０  ネットワーク
１００  チケット管理システム
２００  書店
３００  興行主
Ａ  購読者
Ｂ  切符申込書
Ｃ  書店レジ
Ｄ  ＩＣタグゲート
【図１】
2006031463.tif 000003
【図２】
2006031463.tif 000004
【図３】
2006031463.tif 000005